(57)【要約】      （修正有）【課題】単一の直流電源供給器により複数の発光ダイオード照明器具に電力を供給することができる照明システムを提供する。【解決手段】発光ダイオード照明器具１０は、反射カバー１１と、複数の発光ダイオード１２を備える。発光ダイオード１２は電圧により発光し、反射カバー１１で反射することで照明の光源を提供する。直流電源供給器２０は発光ダイオード照明器具１０に十分な電力を供給するための設備を備え、前記設備の容量は発光ダイオード照明器具１０の数により調整する。直流電源供給器２０は電源回路３０により複数の発光ダイオード照明器具１０の各々と接続される。これにより、発光ダイオード照明器具１０は必要に応じて配置することができる。また、発光ダイオード照明器具１０が必要な電圧は電源回路３０から供給される。【選択図】図３
0003171522.tif 000002
【実用新案登録請求の範囲】
【請求項１】
発光ダイオード照明システムであって、
少なくとも２つの発光ダイオード照明器具（１０）と、
前記発光ダイオード照明器具（１０）に十分な電力を供給できる設備を備える直流電源供給器（２０）と、
前記発光ダイオード照明器具（１０）と同数である少なくとも２つの電源回路（３０）と、
を備え、前記直流電源供給器（２０）は前記電源回路（３０）を介して前記少なくとも２つの発光ダイオード照明器具（１０）の各々に接続されることを特徴とする発光ダイオード照明システム。
【請求項２】
前記発光ダイオード照明器具（１０）は更に、反射カバー（１１）と、複数の発光ダイオード（１２）を備えることを特徴とする請求項１に記載の発光ダイオード照明システム。
【請求項３】
前記直流電源供給器（２０）は更に、変圧器（２１）と、ブリッジ回路（２２）と、インバータ（２３）と、を備え、前記変圧器（２１）はその一端が商用電源（４０）と接続されており、他端が前記ブリッジ回路（２２）の一端と接続されており、
前記ブリッジ回路（２２）の他端は前記インバータ（２３）の一端と接続されており、前記インバータ（２３）の他端は前記電源回路（３０）と接続されていることを特徴とする請求項１に記載の発光ダイオード照明システム。
【請求項４】
前記インバータ（２３）と前記電源回路（３０）の間に、更に、可変抵抗器（２４）と、コンデンサ（２５）と、を備えることを特徴とする請求項３に記載の発光ダイオード照明システム。
【請求項５】
前記変圧器（２１）と前記商用電源（４０）の間に、更に、電力ヒューズ（２６）を備えることを特徴とする請求項３に記載の発光ダイオード照明システム。
【考案の詳細な説明】
【技術分野】
【０００１】
本考案は、発光ダイオードに関し、特に、発光ダイオード照明システムに関する。
【背景技術】
【０００２】
発光ダイオード（Ｌｉｇｈｔ  Ｅｍｉｔｔｉｎｇ  Ｄｉｏｄｅ：ＬＥＤ）は、節電、発光効率、寿命に優れた特性を持っている新世代の照明装置である。その発光原理は、エピタキシによりできるトランジスタを利用し、エレクトロルミネッセンスにより発光させるというものである。ＬＥＤは環境に良く、エネルギー消費が少なく、高効率で寿命が長いなどの特性と利点を持つため、従来の照明設備に取って代わっていった。
【０００３】
現在、発光ダイオードは様々な照明器具に応用されているが、室内照明において、単一の発光ダイオードの明るさは従来の蛍光灯やハロゲンランプには及ばないため、室内照明として十分な光を提供するためには、複数の発光ダイオードを使用する必要がある。現在一般的に販売されているＬＥＤランプは１つのＬＥＤに１つのコンバータを組み合わせたものであるが、価格が高く、消費電力が多く寿命も短い。
【０００４】
図１は、従来の発光ダイオード照明器具１に複数の発光ダイオード２と１つの直流電源供給器３を設置したものである。直流電源供給器３は交流である商用電源を直流に変換し、複数の発光ダイオード２に供給する。複数の発光ダイオード照明器具１がある際には、直流電源供給器３を対応する数だけ設置することで使用することができる。
【考案の概要】
【考案が解決しようとする課題】
【０００５】
しかし、従来の発光ダイオード照明器具１は、直流電源供給器３と発光ダイオード２の位置が非常に近寄っており、直流電源供給器３が発する熱により発光ダイオード２が高温になりやすく、発光ダイオード２の発光効率に悪影響を与える。更に、直流電源供給器３は発光ダイオード照明器具１内に設置されるため、空気の流動性が悪く、放熱し難いため、高温になりやすく、直流電源供給器３の寿命にも影響を与える。また、直流電源供給器３が故障した際には、交換するのが難しい。
【０００６】
そして、天井に設置されている場合は、直流電源供給器３が焼けて発火すると、すぐには発見し難く、他の物に引火する可能性もある。更には、直流電源供給器３は商用電源に接続されているため、発光ダイオード２を交換する際に、直流電源供給器３の交流電力に誤って触れてしまい、感電する虞がある。
【０００７】
本考案の主な目的は、単一の直流電源供給器により複数の発光ダイオード照明器具に電力を供給することができる照明システムを提供することにある。
【課題を解決するための手段】
【０００８】
上述の目的を達成する本考案の発光ダイオード照明システムは、少なくとも２つの発光ダイオード照明器具と、直流電源供給器と、前記発光ダイオード照明器具と同数である電源回路と、を備え、前記直流電源供給器は、前記発光ダイオード照明器具に十分な電力を供給するための設備を備える。前記直流電源供給器は、前記電源回路により前記発光ダイオード照明器具とそれぞれ接続することで、電源供給器の数を減らすことができ、コストの削減にもなる。また、発光ダイオード照明器具と直流電源供給器を分離して設置することができ、直流電源供給器の高温が発光ダイオード照明器具の発光効率に悪影響を与える虞もなく、発光ダイオード照明器具による感電の防止にもなる。
【考案の効果】
【０００９】
本考案によれば、コストの削減、高温による発光ダイオード照明器具への影響の減少、発光ダイオード照明器具の感電の危険性の減少等を達成できる。
【図面の簡単な説明】
【００１０】
【図１】従来の発光ダイオード照明器具を示す説明図
【図２】本考案の発光ダイオード照明器具を示す説明図
【図３】本考案の発光ダイオード照明システムの配置構造を示す説明図
【図４】本考案の発光ダイオード照明システムを示す回路図
【考案を実施するための形態】
【００１１】
以下、本発明の実施例を図面に基づいて説明する。
図２は本考案の発光ダイオード照明器具を示す説明図であり、図３は本考案の発光ダイオード照明システムの配置構造を示す説明図であり、図４は本考案の発光ダイオード照明システムを示す回路図である。本考案の発光ダイオード照明システムは、少なくとも２つの発光ダイオード照明器具１０と、直流電源供給器２０と、発光ダイオード照明器具１０と同数である電源回路３０と、を備える。
【００１２】
発光ダイオード照明器具１０は、反射カバー１１と、複数の発光ダイオード１２を備える。発光ダイオード１２は電圧により発光し、反射カバー１１で反射することで照明の光源を提供する。
【００１３】
直流電源供給器２０は発光ダイオード照明器具１０に十分な電力を供給するための設備を備え、前記設備の容量は発光ダイオード照明器具１０の数により調整する。
【００１４】
直流電源供給器２０は電源回路３０により複数の発光ダイオード照明器具１０の各々と接続される。これにより、発光ダイオード照明器具１０は必要に応じて配置することができる。また、発光ダイオード照明器具１０が必要な電圧は電源回路３０から供給される。
【００１５】
直流電源供給器２０は、変圧器２１と、ブリッジ回路２２と、インバータ２３と、を備える。変圧器２１はその一端が商用電源４０と接続されており、他端がブリッジ回路２２と接続されている。ブリッジ回路２２の他端はインバータ２３の一端と接続されており、インバータ２３の他端は少なくとも２つの電源回路３０と接続されている。インバータ２３と電源回路３０の間には可変抵抗器２４を備え、更にコンデンサ２５を並列に接続する。
【００１６】
インバータ２３はバイポーラジャンクショントランジスタ（Ｂｉｐｏｌａｒ  Ｊｕｎｃｔｉｏｎ  Ｔｒａｎｓｉｓｔｏｒ：ＢＪＴ）２３１と、ベースドライブ回路（Ｂａｓe  Ｄｒｉｖｅｒ）２３２と、演算回路（Ｏｐｅｒａｔｉｏｎ  Ａｍｐｌｉｆｉｅｒ：ＯＰ）２３３と、を備える。演算回路２３３のフィードバック制御にベースドライブ回路２３２及びバイポーラジャンクショントランジスタ２３１を組み合わせることで、インバータとして作動する。変圧器２１と商用電源４０の間には電力ヒューズ２６を設置する。
【００１７】
本考案によれば、単一の直流電源供給器２０が複数の発光ダイオード照明器具１０に電力を供給することで、直流電源供給器２０の数量を減らすことが可能となる。本考案は、以下の利点を有する。
１．本考案は材料及びコストの削減が可能である。
２．本考案は発光ダイオード照明器具１０と直流電源供給器２０を分離して設置することで、直流電源供給器２０の高温が発光ダイオード照明器具１０の発光効率に悪影響を与えるのを防ぐ。
３．本考案は発光ダイオード照明器具１０を修理する際に、商用回路４０に触れてしまうことがなく、感電の虞がない。
４．本考案はインバータ２３、可変抵抗器２４、コンデンサ２５を設置することで、より安定した電力を供給でき、電圧出力を調節することで発光ダイオード照明器具１０の明るさを調節することが可能となる。
【産業上の利用可能性】
【００１８】
本考案は、コストの削減、高温による発光ダイオード照明器具への影響の減少、発光ダイオード照明器具の感電の危険性の減少等を達成でき、発光ダイオード照明システム等として有用である。
【符号の説明】
【００１９】
１０  発光ダイオード照明器具
１１  反射カバー
１２  発光ダイオード
２０  直流電源供給器
２１  変圧器
２２  ブリッジ回路
２３  インバータ
２３１  バイポーラジャンクショントランジスタ
２３２  ベースドライブ回路
２３３  演算回路
２４  可変抵抗器
２５  コンデンサ
２６  電力ヒューズ
３０  電源回路
４０  商用電源
【図１】
0003171522.tif 000003
【図２】
0003171522.tif 000004
【図３】
0003171522.tif 000005
【図４】
0003171522.tif 000006